(57)【要約】【課題】大掛かりな装置を用いることなく、簡単な手段により温度調整を行なうことができて作業し易いキッチンカウンターを提供する。【解決手段】カウンター本体１と、前記カウンター本体１に設けられるシンク２と、前記シンク２に湯水を供給する湯水混合水栓３と、前記シンク２に隣接する前記カウンター本体１の上面に設けられた作業スペース部４と、を備えるキッチンカウンターにおいて、前記作業スペース部４のカウンター本体１下面に沿って伝熱管５を前記作業スペース部４の略全域にわたるように配管し、前記湯水混合水栓３の湯水混合水流路６に前記伝熱管５の入口側５ａを分岐栓７を介して接続するようになした。【選択図】図１
2009066200.tif 000002
【特許請求の範囲】
【請求項１】
カウンター本体と、前記カウンター本体に設けられるシンクと、前記シンクに湯水を供給する湯水混合水栓と、前記シンクに隣接する前記カウンター本体の上面に設けられた作業スペース部と、を備えるキッチンカウンターにおいて、前記作業スペース部のカウンター本体下面に沿って伝熱管を前記作業スペース部の略全域にわたるように配管し、前記湯水混合水栓の湯水混合水流路に前記伝熱管の入口側を分岐栓を介して接続してなることを特徴とするキッチンカウンター。
【請求項２】
前記伝熱管の上流側が前記作業スペース部の手前側に、前記伝熱管の下流側が前記作業スペース部の奥側になるよう、前記伝熱管を前記作業スペース部のカウンター本体下面の手前側から前記作業スペース部の横方向に沿って折り返しながら奥側まで配管したことを特徴とする請求項１記載のキッチンカウンター。
【請求項３】
前記伝熱管を下側から覆うように断熱材を設けたことを特徴とする請求項１又は２記載のキッチンカウンター。
【請求項４】
前記伝熱管の出口側を前記シンクの排水管と接続してなることを特徴とする請求項１乃至３のいずれか一項記載のキッチンカウンター。
【請求項５】
前記伝熱管の出口側に止水栓を設けたことを特徴とする請求項１乃至４のいずれか一項記載のキッチンカウンター。
【発明の詳細な説明】
【技術分野】
【０００１】
本願発明は、温度調整機能を組み込んだキッチンカウンターに関するものである。
【背景技術】
【０００２】
従来、キッチンカウンターのカウンター面を直接的に温める器具はなく、キッチンを暖める暖房器具を使用して部屋を暖めることにより、間接的にカウンター面を温めるのが一般的である。
【０００３】
なお、実開平３−９７１１２号公報に示されるように、浴室や脱衣室などの壁面や床面に熱輻射パネルを設け、これに熱輻射用の熱媒体となる流体を循環させて、暖房を行なう装置は知られている。この暖房装置は、図５に示すように、低温輻射パネル２０および床輻射パネル２１に熱媒体となる流体を循環させる循環パイプ２２と、熱交換器２３とを備えている。
【特許文献１】実開平３−９７１１２号公報
【発明の開示】
【発明が解決しようとする課題】
【０００４】
しかしながら、キッチンカウンターのカウンター面を温める上記従来の一般的な方法では、部屋が暖まるまでに時間がかかるうえ、カウンター面の温度を調整することは難しく、キッチンカウンターを利用しづらいという問題があった。
【０００５】
また、上記浴室や脱衣室などの壁面や床面を温める暖房装置では、熱源や循環装置が必要となり、これらの装置を設置する場所を別途、設ける必要がある。
【０００６】
本願発明は、上記背景技術に鑑みてなしたものであり、その目的は、大掛かりな装置を用いることなく、簡単な手段により温度調整を行なうことができて作業し易いキッチンカウンターを提供することである。
【課題を解決するための手段】
【０００７】
上記課題を解決するために、本願請求項１記載の発明は、カウンター本体と、前記カウンター本体に設けられるシンクと、前記シンクに湯水を供給する湯水混合水栓と、前記シンクに隣接する前記カウンター本体の上面に設けられた作業スペース部と、を備えるキッチンカウンターにおいて、前記作業スペース部のカウンター本体下面に沿って伝熱管を前記作業スペース部の略全域にわたるように配管し、前記湯水混合水栓の湯水混合水流路に前記伝熱管の入口側を分岐栓を介して接続してなる。
【０００８】
本願請求項２記載の発明は、上記請求項１記載のキッチンカウンターにおいて、前記伝熱管の上流側が前記作業スペース部の手前側に、前記伝熱管の下流側が前記作業スペース部の奥側になるよう、前記伝熱管を前記作業スペース部のカウンター本体下面の手前側から前記作業スペース部の横方向に沿って折り返しながら奥側まで配管したことを特徴としている。
【０００９】
本願請求項３記載の発明は、上記請求項1又は２記載のキッチンカウンターにおいて、前記伝熱管を下側から覆うように断熱材を設けたことを特徴としている。
【００１０】
本願請求項４記載の発明は、上記請求項１乃至３のいずれか一項記載のキッチンカウンターにおいて、前記伝熱管の出口側を前記シンクの排水管と接続したことを特徴としている。
【００１１】
本願請求項５記載の発明は、上記請求項１乃至４のいずれか一項記載のキッチンカウンターにおいて、前記伝熱管の出口側に止水栓を設けたことを特徴としている。
【発明の効果】
【００１２】
本願請求項１記載の発明のキッチンカウンターにおいては、湯水混合水栓に繋がる湯水混合水流路からの湯水を作業スペース部のカウンター本体下面に配管された伝熱管へ流すという簡単な手段により、キッチンカウンターの作業スペース部の温度調整ができる。しかも、分岐栓を介して伝熱管へ湯水を供給するため、シンクと伝熱管の双方で必要に応じて湯水の利用が可能となる。ここで、伝熱管に温水を供給すれば、作業スペース部が温められ、冬場においてキッチンカウンターを利用しやすくなる。一方、伝熱管に冷水を供給すれば、作業スペース部の熱伝導性が高まり、鮮度や風味を損ねることなく、適切な解凍をすることができる。このように、作業スペース部に保温効果や保冷効果を持たせることができるため、作業スペース部の使い勝手が向上することになる。
【００１３】
本願請求項２記載の発明のキッチンカウンターにおいては、伝熱管の上流側が作業スペース部の手前側に、伝熱管の下流側が作業スペース部の奥側になるよう配管することにより、使用頻度の高い作業スペース部の手前から順に温度調整をすることができる。
【００１４】
本願請求項３記載の発明のキッチンカウンターにおいては、断熱材を用いることで伝熱管の放熱を防止し、伝熱管からの輻射熱を効率的に作業スペース部へ伝えることができる。
【００１５】
本願請求項４記載の発明のキッチンカウンターにおいては、伝熱管からの排水を既存設備であるシンクの排水管へ流入させることで、伝熱管の排水処理を簡便なものとすることができる。
【００１６】
本願請求項５記載の発明のキッチンカウンターにおいては、伝熱管内に湯水を滞留させて保温効果および保冷効果を維持することで、湯水の使用量を少なくすることができる。
【発明を実施するための最良の形態】
【００１７】
図１乃至３は、本願発明の第１の実施形態であるキッチンカウンターを示している。この実施形態のキッチンカウンターでは、カウンター本体１と、前記カウンター本体１に設けられるシンク２と、前記シンク２に湯水を供給する湯水混合水栓３と、前記シンク２に隣接する前記カウンター本体１の上面に設けられた作業スペース部４と、を備えるキッチンカウンターにおいて、前記作業スペース部４のカウンター本体１下面に沿って伝熱管５を前記作業スペース部４の略全域にわたるように配管し、前記湯水混合水栓３の湯水混合水流路６に前記伝熱管５の入口側５ａを分岐栓７を介して接続してある。この場合に、図１に示すように、前記伝熱管５の上流側が前記作業スペース部４の手前側に、前記伝熱管５の下流側が前記作業スペース部４の奥側になるよう、前記伝熱管５を前記作業スペース部４のカウンター本体１下面の手前側から前記作業スペース部４の横方向に沿って折り返しながら奥側まで配管してある。また、図３に示すように、前記伝熱管５を下側から覆うように断熱材８を設け、前記伝熱管５の出口側５ｂを前記シンク２の排水管９と接続してある。
【００１８】
以下、この実施形態のキッチンカウンターを、より具体的詳細に説明する。図２に示すように、キッチンカウンターはフロアキャビネット１１の上にカウンター本体１が設置され、カウンター本体１の背面にバックガード１２が設けられている。カウンター本体１は、人工大理石やステンレス等で横長長方形状に形成されて、シンク２と、シンク２に湯水を供給する湯水混合水栓３と、作業スペース部４等が設けられている。作業スペース部４は、材料や調理器具を置いたり、水切りや攪拌作業等を行ったりするカウンター本体１の一領域であり、シンク２に隣接されている。バックガード１２は、カウンター本体１の上面にこぼれた水等が壁や床に付着しないようにガードするものである。
【００１９】
次に、作業スペース部４のカウンター本体１下面に沿って伝熱管５を配管する構成について説明する。図１に示すように、伝熱管５の入口側５ａからの配管は作業スペース部４のカウンター本体１下面の手前側から作業スペース部４の横方向に沿って折り返しながら奥側まで配管されている。ここで、伝熱管５として給排水に用いられる水道管を用いると、湯水混合水流路６との接続に既存の継手を用いることができ、配管の施工が容易になる。また、作業スペース部４のカウンター本体１下面に施工する伝熱管５については、水道管を予め加工して、折り返し構造としておく。
【００２０】
なお、伝熱管５は熱伝導率の高い銅製が好ましいが、ステンレス等の金属製でもよい。この場合、伝熱管５の上流側が作業スペース部４の手前側に、伝熱管５の下流側が作業スペース部４の奥側になるよう配管されているため、使用頻度の高い作業スペース部の手前から順に温度調整をすることができる。
【００２１】
また、図３に示すように、伝熱管５の入口側５ａの配管は、湯水混合水栓３の湯水混合水流路６に分岐栓７を介して接続され、伝熱管５の出口側５ｂの配管は、排水口１８につながるシンク２の排水管９に接続されている。この湯水混合水栓３は、シンク２とバックガード１２との間部分１３に設けられ、湯水混合水流路６を介して、給湯管１４と、給水管１５とに連結されている。さらに、湯水混合水栓３は、温度・流量調整レバー１６と、吐水口１７とを備え、温度・流量調整レバー１６を操作することにより、吐水口１７からシンク２へ湯水を供給するものである。分岐栓７はシンク２とバックガード１２との間部分１３に設けられ、温度・流量調整レバー１６によって温度が調整された湯水の流れる湯水混合水流路６と接続され、伝熱管５への湯水の流入を調整するものである。
【００２２】
よって、湯水混合水栓３に繋がる湯水混合水流路６からの湯水を伝熱管５へと供給することができるため、新たな熱源を必要とすることなく、簡便な方法でキッチンカウンターの作業スペース部４を温めたり、冷やしたりすることができる。さらに、伝熱管５からの排水を既存設備であるシンク２の排水管９へ流入させることで、伝熱管５の排水処理を簡便なものとすることができる。
【００２３】
なお、伝熱管５の出口側５ｂをシンク２と接続して、シンク２の排水口１８を介して、伝熱管５からの排水を排水管９へ流入させるようにしてもよい。
【００２４】
さらに、伝熱管５を下側から覆うように断熱材８が設けられている。断熱材８は、発泡ポリエチレン、発泡スチロール等の発泡樹脂やグラスウールやウレタンなど保温性のある素材である。この場合、伝熱管５からの放熱を防止し、伝熱管５からの輻射熱を効率的に作業スペース部４へ伝えることができる。
【００２５】
したがって、伝熱管５に温水を供給すれば、作業スペース部４が温められ、冬場においてキッチンカウンターを利用しやすくなる。また、作業スペース部４に保温効果を持たせることができるため、作業スペース部４に加熱調理した鍋や食品等を置くと、鍋の中の料理や食品が冷めにくくなる。一方、伝熱管５に冷水を供給すれば、作業スペース部４の熱伝導性が高まり、鮮度や風味を損ねることなく、適切な解凍をすることができる。さらに、作業スペース部４に保冷効果を持たせることができるため、作業スペース部４に加熱調理した鍋や食品等を置くと、鍋の中の料理や食品を手早く冷ますことができる。つまり、キッチンカウンターの作業スペース部４の温度調整を行なうことにより、作業スペース部４の使い勝手が向上することになる。
【００２６】
図４は、本願発明の第２の実施形態であるキッチンカウンターを示している。ここでは、上記第１の実施形態と相違する事項についてのみ説明し、その他の事項（構成、作用効果等）については、上記第１の実施形態と同様であるのでその説明を省略する。このキッチンカウンターは、図４に示すように、伝熱管５の出口側５ｂに止水栓１０が設けられている。
【００２７】
この場合、止水栓１０を閉めることにより、伝熱管５の入口側５ａから流入してきた湯水は、伝熱管５の内部に滞留することになる。
【００２８】
したがって、伝熱管５内に湯水を滞留させて保温効果および保冷効果を維持することができるとともに、湯水の使用量を少なくすることができる。
【００２９】
なお、伝熱管５の内部に湯水が満たされると、自動的に湯水の供給を停止する機構を分岐栓７に設けてもよい。
【図面の簡単な説明】
【００３０】
【図１】本願発明の第１の実施形態であるキッチンカウンターを示す平面図。
【図２】同キッチンカウンターの全体概略を示す斜視図。
【図３】同キッチンカウンターを示す断面図。
【図４】本願発明の第２の実施形態であるキッチンカウンターを示す平面図。
【図５】従来例である浴室および脱衣室の断面と風呂釜の側面を示した構造図。
【符号の説明】
【００３１】
１  カウンター本体
２  シンク
３  湯水混合水栓
４  作業スペース部
５  伝熱管
６  湯水混合水流路
７  分岐栓
８  断熱材
９  排水管
10  止水栓
【図１】
2009066200.tif 000003
【図２】
2009066200.tif 000004
【図３】
2009066200.tif 000005
【図４】
2009066200.tif 000006
【図５】
2009066200.tif 000007